(57)【要約】無線通信デバイスは、ネットワーク通信リンクが無線通信ネットワークで確立されることを可能にするための従来の構成要素を含む。加えて、無線通信デバイスは、無線アクセスポイントの存在を検出する、非ネットワークトランシーバを含む。２つのかかる装備されたデバイスがアクセスポイントに接近する時、非ネットワーク無線通信リンクが確立される。２つのデバイスは、一致が存在するかを判定するために分析される、プロファイルデータの複数の部分を交換する。一致が生じる場合、コンタクト通知が生成される。これは、無線通信デバイスが、所有者が記憶されたユーザ選好データに一致するプロファイルを有する、他のデバイスの近接を検出する、自動検出ソーシャルネットワークデバイスとしての役割を果たすことを可能にする。後続の通信は、無線ネットワーク通信チャネルを使用した従来の方法で生じてもよく、また、追加情報を得るために、ウェブアプリケーションが使用されてもよい。
2012520014.tif 000002
【特許請求の範囲】
【請求項１】
それぞれ、
無線通信ネットワークと通信するように構成される、第１のトランシーバと、
前記無線通信ネットワーク以外と通信するように構成される、第２のトランシーバと、
前記第２のトランシーバの動作を制御するように構成される、コントローラと、
ユーザプロファイルデータの第１および第２の部分を記憶するように構成される、プロファイルデータ記憶領域と、
を有する、複数の無線通信デバイス
を備える、通信システムであって、
前記複数の無線通信デバイスの第１における前記コントローラは、前記第１の無線通信デバイスに近接する位置において、前記複数の無線通信デバイスの第２の存在を検出するように構成され、前記第１の無線通信デバイスにおける前記コントローラは、前記第２の無線通信デバイスから受信される前記ユーザプロファイルデータの前記第２の部分、および前記第１の無線通信デバイスの前記プロファイルデータ記憶領域に記憶されるユーザプロファイルデータの前記第１の部分を分析し、前記第１の無線通信デバイスの前記プロファイルデータ記憶領域に記憶されるユーザプロファイルデータの前記第１の部分と、前記第２の無線通信デバイスから受信されるユーザプロファイルデータの前記第２の部分との間で一致があるかを判定するようにさらに構成される、通信システム。
【請求項２】
前記第２のトランシーバは、第１の無線通信デバイスと前記第２の無線通信デバイスとの間の直接通信を可能にするための短距離非ネットワークトランシーバである、請求項１に記載のシステム。
【請求項３】
無線アクセスポイントをさらに備え、前記第２のトランシーバは、前記無線アクセスポイントを介して、第１の無線通信デバイスと前記第２の無線通信デバイスとの間の直接通信を可能にするように構成される、短距離トランシーバである、請求項１に記載のシステム。
【請求項４】
第１の無線通信デバイスにおける前記コントローラは、前記無線アクセスポイントの存在を検出し、前記検出された無線アクセスポイントへの登録動作を実行する場合、前記無線アクセスポイントにすでに登録された前記第２の無線通信デバイスの指示を受信するようにさらに構成され、前記第１の登録された無線通信デバイスは、前記第２の登録された無線通信デバイスと無線通信リンクを確立し、前記無線アクセスポイントを介して、前記第２の無線通信デバイスから前記ユーザプロファイルデータの前記第２の部分を受信するように構成される、請求項３に記載のシステム。
【請求項５】
前記第１の無線通信デバイスにおける前記コントローラは、前記第１の無線通信デバイスにおける前記コントローラが、前記第１の無線通信デバイスの前記プロファイルデータ記憶領域に記憶されるユーザプロファイルデータの前記第１の部分と、前記第２の無線通信デバイスから受信されるユーザプロファイルデータの前記第２の部分との間で一致があると判定する場合、一致指示を提供するようにさらに構成される、請求項１に記載のシステム。
【請求項６】
前記第１の無線通信デバイス上にユーザが操作可能な入力デバイスをさらに備え、前記ユーザが操作可能な入力デバイスを介して、前記ユーザプロファイルデータの前記第１および第２の部分のエントリを可能にする、請求項１に記載のシステム。
【請求項７】
前記第１の無線通信デバイスにおける第１のトランシーバは、前記無線通信ネットワークから前記ユーザプロファイルデータの前記第１および第２の部分を受信するように構成される、請求項１に記載のシステム。
【請求項８】
前記第２の無線通信デバイスからの前記ユーザプロファイルデータ記憶領域における前記ユーザプロファイルデータの前記受信された部分は、前記第２の無線通信デバイスのユーザと関連するネットワーク位置を指示するウェブリンクを含み、前記第１の無線通信デバイスにおける前記コントローラは、前記無線通信ネットワークへの伝送のために、前記受信されたウェブリンクを前記第１の無線通信デバイスにおける前記第１のトランシーバに送るようにさらに構成される、請求項１に記載のシステム。
【請求項９】
前記第１の無線通信デバイスにおける前記コントローラは、前記第１の無線通信デバイスにおける前記第１のトランシーバを介して、外部データソースからコンタクトリストをダウンロードするように、かつ前記第１の無線通信デバイスにおける前記ユーザプロファイルデータ記憶領域において、前記ダウンロードされたコンタクトリストの少なくとも一部を記憶するようにさらに構成される、請求項１に記載のシステム。
【請求項１０】
前記外部データソースは、前記第１の無線通信デバイスのユーザのソーシャルネットワークウェブページである、請求項９に記載のシステム。
【請求項１１】
前記第１の無線通信デバイスにおける前記コントローラは、前記第２の無線通信デバイスにおける前記ユーザプロファイルデータ記憶領域からの前記ユーザプロファイルデータの前記受信された部分、および前記第１の無線通信デバイスにおける前記ユーザプロファイルデータ記憶領域の前記第１の部分における、前記ダウンロードされたコンタクトリストの前記記憶された部分を分析し、一致があるか判定するようにさらに構成される、請求項９に記載のシステム。
【請求項１２】
前記第２の無線通信デバイスにおける前記コントローラは、前記第１の無線通信デバイスからの前記ユーザプロファイルデータの前記受信された第２の部分、および前記第２の無線通信デバイスの前記プロファイルデータ記憶領域に記憶されるユーザプロファイルデータの前記第１の部分を分析し、前記第２の無線通信デバイスの前記プロファイルデータ記憶領域に記憶されるユーザプロファイルデータの前記第１の部分と、前記第１の無線通信デバイスから受信されるユーザプロファイルデータの前記第２の部分との間で一致があるかを判定するように構成される、請求項１に記載のシステム。
【請求項１３】
通信リンクは、前記第１および第２の無線通信デバイスのそれぞれにおける前記第２のトランシーバ間で確立され、前記第１の無線通信デバイスにおける前記コントローラは、前記無線通信リンクの確立後に、前記第２の無線通信デバイスの前記プロファイルデータ記憶領域に記憶される前記データの一部を自動的に抽出するように、かつ前記抽出されたデータ部分を、前記第１の無線通信デバイスのユーザと関連するウェブページに転送するようにさらに構成される、請求項１に記載のシステム。
【請求項１４】
前記第１のトランシーバは、前記無線通信ネットワークを使用して、前記抽出されたデータ部分を、前記第１の無線通信デバイスのユーザに関連する前記ウェブページに伝送するようにさらに構成される、請求項１３に記載のシステム。
【請求項１５】
無線アクセスポイントを介した複数の無線通信デバイス間の通信のためのシステムであって、
それぞれ、
無線通信ネットワークと直接通信するように構成される、第１のトランシーバと、
無線アクセスポイントと通信するように構成される、第２のトランシーバと、
前記無線デバイスの動作を制御するように構成される、コントローラと、
ユーザプロファイルデータの第１および第２の部分を記憶するように構成される、プロファイルデータ記憶領域と、
を有する、複数の無線通信デバイス
を備え、
前記複数の無線通信デバイスの第１における前記コントローラは、前記無線アクセスポイントの存在を検出し、前記検出された無線アクセスポイントへの登録動作を実行する場合、前記無線アクセスポイントにすでに登録された前記複数の無線通信デバイスの第２の指示を受信し、前記第１の登録された無線通信デバイスは、前記無線アクセスポイントと無線通信リンクを確立するように構成される、
システム。
【請求項１６】
前記第１の登録された無線通信デバイスにおける前記第２のトランシーバは、前記無線アクセスポイントを介して、前記第２の無線通信デバイスの前記プロファイルデータ記憶領域に記憶される前記プロファイルデータの前記第２の部分を受信するようにさらに構成され、前記第１の無線通信デバイスにおける前記コントローラは、前記第２の無線通信デバイスから受信される前記ユーザプロファイルデータの前記第２の部分、および前記第１の無線通信デバイスの前記プロファイルデータ記憶領域に記憶されるユーザプロファイルデータの前記第１の部分を分析し、前記第１の無線通信デバイスの前記プロファイルデータ記憶領域に記憶されるユーザプロファイルデータの前記第１の部分と、前記第２の無線通信デバイスから受信されるユーザプロファイルデータの前記第２の部分との間で一致があるかを判定するように構成される、請求項１５に記載のシステム。
【請求項１７】
前記第２の登録された無線通信デバイスにおける前記第２のトランシーバは、前記無線アクセスポイントを介して、前記第１の無線通信デバイスの前記プロファイルデータ記憶領域に記憶される前記プロファイルデータの前記第２の部分を受信するようにさらに構成され、前記第２の無線通信デバイスにおける前記コントローラは、前記第１の無線通信デバイスから受信される前記ユーザプロファイルデータの前記第２の部分、および前記第２の無線通信デバイスの前記プロファイルデータ記憶領域に記憶される、ユーザプロファイルデータの前記第１の部分を分析し、前記第２の無線通信デバイスの前記プロファイルデータ記憶領域に記憶されるユーザプロファイルデータの前記第１の部分と、前記第１の無線通信デバイスから受信されるユーザプロファイルデータの前記第２の部分との間で一致があるかを判定するように構成される、請求項１６に記載のシステム。
【請求項１８】
前記無線アクセスポイントと関連するデータ記憶領域をさらに備え、前記無線アクセスポイントデータ記憶領域は、前記複数の無線通信デバイスのそれぞれから前記無線アクセスポイントに伝送される、前記複数の無線通信デバイスのそれぞれの前記プロファイルデータ記憶領域からの前記ユーザプロファイルデータの前記第１および第２の部分を受信および記憶するように構成される、請求項１５に記載のシステム。
【請求項１９】
前記第１の無線デバイスに対する前記ユーザプロファイルデータの前記記憶された第１の部分、および前記第２の無線通信デバイスからの前記ユーザプロファイルデータの前記記憶された第２の部分を分析し、それにより、前記第１の無線デバイスからの前記ユーザプロファイルデータの前記記憶された第１の部分と、前記第２の無線通信デバイスの前記ユーザプロファイルデータの前記記憶された第２の部分との間で一致があるかを判定するように構成される、前記無線アクセスポイントと関連するコントローラをさらに備え、前記コントローラは、一致インジケータを生成し、それにより、前記第１の無線デバイスからの前記ユーザプロファイルデータの前記記憶された第１の部分と、前記第２の無線デバイスからの前記ユーザプロファイルデータの前記記憶された第２の部分との間の前記分析によって生じる一致を指示する、請求項１８に記載のシステム。
【請求項２０】
前記無線アクセスポイントをネットワークサーバに連結するためのネットワークインターフェースコントローラをさらに備え、前記ネットワークインターフェースコントローラは、前記第２の無線通信デバイスと関連して、前記ネットワークサーバに記憶される前記第２の無線通信デバイスに対する、前記ユーザプロファイルデータの前記第２の部分を受信するように構成される、請求項１５に記載のシステム。
【請求項２１】
前記無線アクセスポイントは、前記第１の無線通信デバイスから前記ユーザプロファイルデータの前記第１の部分を受信し、前記システムは、前記第１の無線通信デバイスに対する前記ユーザプロファイルデータの前記受信された第１の部分、および前記ネットワークサーバから受信される前記第２の無線通信デバイスに対する前記ユーザプロファイルデータの前記第２の部分を分析するように構成される、前記無線アクセスポイントと関連するコントローラをさらに備え、前記コントローラは、一致インジケータを生成し、それにより、前記第１の無線通信デバイスに対する前記ユーザプロファイルデータの前記受信された第１の部分、および前記ネットワークサーバから受信される前記第２の無線通信デバイスに対する前記ユーザプロファイルデータの前記第２の部分の前記分析によって生じる一致を指示する、請求項２０に記載のシステム。
【請求項２２】
前記無線アクセスポイントをネットワークサーバに連結するためのネットワークインターフェースコントローラをさらに備え、前記ネットワークインターフェースコントローラは、前記第１および第２の無線通信デバイスのそれぞれの前記プロファイルデータ記憶領域からの前記ユーザプロファイルデータの前記第１および第２の部分を、前記ネットワークサーバに伝送するように構成され、前記ネットワークサーバは、前記第１および第２の無線通信デバイスのそれぞれと関連して、前記第１の無線通信デバイスに対する前記ユーザプロファイルデータの第１および第２の部分、ならびに前記第２の無線通信デバイスに対する前記プロファイルデータの前記第１および第２の部分を記憶するように構成される、請求項１５に記載のシステム。
【請求項２３】
前記第１の無線通信デバイスに対する前記ユーザプロファイルデータの前記記憶された第１の部分、および前記第２の無線通信デバイスに対する前記ユーザプロファイルデータの前記記憶された第２の部分を分析するように構成される、前記ネットワークサーバと関連するコントローラをさらに備え、前記コントローラは、一致インジケータを生成し、それにより、前記第１の無線通信デバイスに対する前記ユーザプロファイルデータの前記記憶された第１の部分と、前記第２の無線通信デバイスに対する前記ユーザプロファイルデータの前記記憶された第２の部分との間の前記分析によって生じる一致を指示する、請求項２２に記載のシステム。
【請求項２４】
前記複数の無線通信デバイスのそれぞれの前記プロファイルデータ記憶領域は、前記プロファイルデータ記憶領域の前記第１の部分においてユーザが選択可能なプロファイルデータ、および前記プロファイルデータ記憶領域の前記第２の部分においてユーザが選択可能な選好データを記憶するように構成され、前記第１の無線通信デバイスの前記コントローラは、前記無線アクセスポイントを介して、前記第２の無線通信デバイスから前記ユーザプロファイルデータの前記第１の部分を受信するように、かつ前記第２の無線通信デバイスの前記ユーザと関連する前記ユーザプロファイルデータの前記第１の部分、および前記第１の無線通信デバイスの前記ユーザと関連する前記ユーザが選択可能な選好データを分析し、前記第１の無線通信デバイスの前記ユーザと関連する前記ユーザが選択可能な選好データと、前記第２の無線通信デバイスの前記ユーザと関連する前記ユーザプロファイルデータの前記第１の部分との間で一致があるかを判定するように構成される、請求項１５に記載のシステム。
【請求項２５】
通信リンクを確立するための、第１の通信手段と、
前記第１の無線通信デバイスの動作を制御するための、第１の制御手段と、
前記第１の無線通信デバイスのユーザに対するユーザプロファイルデータの第１および第２の部分を記憶するための、第１のデータ記憶手段と、
を有する、第１の無線通信デバイスと、
通信リンクを確立するための、第２の通信手段と、
前記第２の無線通信デバイスの動作を制御するための、第２の制御手段と、
前記第２の無線通信デバイスのユーザに対するユーザプロファイルデータの第１および第２の部分を記憶するための、第２のデータ記憶手段であって、前記第１の制御手段は、前記第１の無線通信デバイスに近接する位置における前記第２の無線通信デバイスの存在を検出するように、かつそれとの通信リンクを確立するように構成される、第２のデータ記憶手段と、
前記第２のデータ記憶手段から受信される前記ユーザプロファイルデータの前記第２の部分、および前記第１のデータ記憶手段から受信されるユーザプロファイルデータの前記第１の部分を分析し、その間で一致があるかを判定するための、アナライザ手段と、
を有する、第２の無線通信デバイスと、
を備える、通信システム。
【請求項２６】
通信リンクを確立するための前記第１および第２の手段は、前記第１の無線通信デバイスと前記第２の無線通信デバイスとの間で直接通信リンクを確立するために、前記第１および第２の無線通信デバイスのそれぞれの短距離トランシーバを備える、請求項２５に記載のシステム。
【請求項２７】
ネットワークアクセスポイントをさらに備え、通信リンクを確立するための前記手段は、前記ネットワークアクセスポイントを介して、前記第１の無線通信デバイスと前記第２の無線通信デバイスとの間で通信リンクを確立するために、前記第１および第２の無線通信デバイスのそれぞれにおいて、トランシーバを備える、請求項２５に記載のシステム。
【請求項２８】
無線通信デバイスからのデータを処理するためのシステムであって、
第１の無線通信デバイスの記憶位置において、ユーザ関連データを記憶するための手段と、
前記第１の無線通信デバイスと第２の無線通信デバイスとの間で無線通信リンクを確立するための手段と、
前記無線通信リンクの確立後に、前記第１の無線通信デバイスの前記記憶位置における前記ユーザ関連データを抽出するための手段と、
前記抽出されたユーザ関連データを、前記第２の無線通信デバイスのユーザと関連するウェブページに転送するための手段と、
前記ウェブページと関連する記憶位置において、前記転送データを記憶するための手段と、
前記記憶された転送データを取り出すために、前記ウェブページにアクセスするための手段と、を備える、システム。
【請求項２９】
通信リンクを確立するための前記手段は、前記第１の無線通信デバイスと前記第２の無線通信デバイスとの間で直接通信リンクを確立するために、前記第１および第２の無線通信デバイスのそれぞれにおける短距離トランシーバを備える、請求項２８に記載のシステム。
【請求項３０】
ネットワークアクセスポイントをさらに備え、通信リンクを確立するための前記手段は、前記ネットワークアクセスポイントを介して、前記第１の無線通信デバイスと前記第２の無線通信デバイスとの間で通信リンクを確立するために、前記第１および第２の無線通信デバイスのそれぞれにおける短距離トランシーバを備える、請求項２８に記載のシステム。
【請求項３１】
無線通信ネットワークを直接通信するように、かつネットワークアクセスポイントと通信するように構成される、第１および第２の無線通信デバイスで使用するための通信方法であって、
前記第１の無線通信デバイスが、接続するための無線アクセスポイントを検索することと、
前記無線アクセスポイントとの接続後に、前記第２の無線通信デバイスもまた前記無線アクセスポイントに接続されているという指示を受信することと、
前記無線アクセスを介してデータを交換するために、前記第１および第２の無線通信デバイス間と無線通信リンクを確立することと、
を含む、方法。
【請求項３２】
前記交換されたデータは、ユーザプロファイルデータを含み、
前記第１の無線通信デバイスが、前記無線アクセスポイントを介して前記第２の無線通信デバイスから前記ユーザプロファイルデータを受信することと、
前記第１の無線通信デバイスが、前記受信されたユーザプロファイルデータ、および前記第１の無線通信デバイスの前記プロファイルデータのユーザ選好部分を分析し、それにより、前記第２の無線通信デバイスの前記ユーザプロファイルデータと、前記第１の無線通信デバイスの前記ユーザ選好データとの間で一致があるかを判定すること、
をさらに含む、請求項３１に記載の方法。
【請求項３３】
前記ネットワークサーバと関連するデータ記憶領域において、前記第１および第２の無線通信デバイスのそれぞれに対する追加のユーザデータを記憶する、ネットワークサーバで使用するための方法であって、前記交換されたデータは、識別データを含み、
前記分析が一致を指示する場合、前記無線アクセスポイントが、通信ネットワークを介して、前記第１および第２の無線通信デバイスに対する前記識別データを、前記ネットワークサーバに伝送することと、
前記無線アクセスポイントが、前記第１の無線通信デバイスに対する前記識別データの伝送に応答して、前記ネットワークサーバから前記第１の無線通信デバイスに対する前記追加データを受信することと、
前記無線アクセスポイントが、前記第１の無線通信デバイスに対する前記受信された追加データを、前記無線アクセスポイントから前記第２の無線通信デバイスに伝送することと、
前記無線アクセスポイントが、前記第２の無線通信デバイスに対する前記識別データの伝送に応答して、前記ネットワークサーバから前記第２の無線通信デバイスに対する前記追加データを受信することと、
前記無線アクセスポイントが、前記第２の無線通信デバイスに対する前記受信された追加データを、前記無線アクセスポイントから前記第１の無線通信デバイスに伝送することと、をさらに含む、請求項３３に記載の方法。
【請求項３４】
前記交換されたデータは、ユーザプロファイルデータを含み、前記無線アクセスポイントと関連するデータ記憶領域において、前記第２の無線通信デバイスからの前記ユーザプロファイルデータを記憶することと、前記第１の無線通信デバイスの前記無線アクセスポイントとの接続後に、前記記憶されたユーザプロファイルデータを、前記無線アクセスポイントから前記第１の無線通信デバイスに伝送することと、をさらに含む、請求項３１に記載の方法。
【請求項３５】
前記交換されたデータは、ユーザプロファイルデータを含み、
前記第１の無線通信デバイスの前記無線アクセスポイントとの接続後に、前記第１の無線通信デバイスから前記ユーザプロファイルデータを受信することと、
前記無線アクセスポイントと関連するデータ記憶領域において、前記第１の無線通信デバイスからの前記ユーザプロファイルデータを記憶することと、
第３の無線通信デバイスの前記無線アクセスポイントとの接続後に、前記記憶されたユーザプロファイルデータを、前記無線アクセスポイントから前記第３の無線通信デバイスに伝送することと、をさらに含む、請求項３１に記載の方法。
【請求項３６】
前記交換されたデータは、ユーザプロファイルデータを含み、
前記無線アクセスポイントが、前記第１および第２の無線通信デバイスのそれぞれの前記無線アクセスポイントとの接続後に、前記第１および第２の無線通信デバイスから前記ユーザプロファイルデータを受信することと、
前記無線アクセスポイントが、前記第１および第２の無線通信デバイスのそれぞれの前記無線アクセスポイントとの接続後に、前記第１および第２の無線通信デバイスからユーザ選好データを受信することと、
をさらに含む、請求項３１に記載の方法。
【請求項３７】
前記無線アクセスポイントと関連するデータ記憶領域において、前記第１の無線通信デバイスからの前記ユーザプロファイルデータおよびユーザ選好データを記憶することと、
前記無線アクセスポイントと関連するデータ記憶領域において、前記第２の無線通信デバイスからの前記ユーザプロファイルデータおよびユーザ選好データを記憶することと、
をさらに含む、請求項３６に記載の方法。
【請求項３８】
前記無線アクセスポイントが、前記第１の無線通信デバイスからの前記受信されたユーザプロファイルデータを、前記第２の無線通信デバイスからの前記ユーザ選好データと分析することと、前記第２の無線通信デバイスからの前記受信されたユーザプロファイルデータを、前記第１の無線通信デバイスからの前記ユーザ選好データと分析することと、それにより、前記第１および第２の無線通信デバイス間で一致があるかを判定することと、をさらに含む、請求項３７に記載の方法。
【請求項３９】
前記ネットワークサーバと関連するデータ記憶領域において、前記第１および第２の無線通信デバイスのそれぞれに対する追加のユーザデータを記憶するネットワークサーバで使用するための方法であって、前記交換されたデータは、識別データを含み、
前記分析が一致を指示する場合、前記無線アクセスポイントが、通信ネットワークを介して、前記第１および第２の無線通信デバイスに対する前記識別データを、前記ネットワークサーバに伝送することと、
前記無線アクセスポイントが、前記第１の無線通信デバイスに対する前記識別データの伝送に応答して、前記ネットワークサーバから前記第１の無線通信デバイスに対する前記追加データを受信することと、
前記無線アクセスポイントが、前記第１の無線通信デバイスに対する前記受信された追加データを、前記無線アクセスポイントから前記第２の無線通信デバイスに伝送することと、
前記無線アクセスポイントが、前記第２の無線通信デバイスに対する前記識別データの伝送に応答して、前記ネットワークサーバから前記第２の無線通信デバイスに対する前記追加データを受信することと、
前記無線アクセスポイントが、前記第２の無線通信デバイスに対する前記受信された追加データを、前記無線アクセスポイントから前記第１の無線通信デバイスに伝送することと、
をさらに含む、請求項３８に記載の方法。
【請求項４０】
前記ネットワークサーバと関連するデータ記憶領域において、前記第１および第２の無線通信デバイスのそれぞれに対する前記ユーザプロファイルデータおよびユーザ選好データを記憶するネットワークサーバで使用するための方法であって、前記交換されたデータは、識別データを含み、
前記無線アクセスポイントが、前記第１および第２の無線通信デバイスのそれぞれの前記無線アクセスポイントとの接続後に、前記第１および第２の無線通信デバイスから前記識別データを受信することと、
前記無線アクセスポイントが、通信ネットワークを介して、前記ユーザ識別データを、前記第１および第２の無線通信デバイスから前記ネットワークサーバに伝送することと、
前記ネットワークサーバが、前記第１の無線通信デバイスに対する前記識別データを受信することに応答して、前記第１の無線通信デバイスに対する前記ユーザプロファイルデータおよびユーザ選好データを取り出すことと、
前記ネットワークサーバが、前記第２の無線通信デバイスに対する前記識別データを受信することに応答して、前記第２の無線通信デバイスに対する前記ユーザプロファイルデータおよびユーザ選好データを取り出すことと、
をさらに含む、請求項３１に記載の方法。
【請求項４１】
前記ネットワークサーバが、前記第１の無線通信デバイスに対する前記取り出されたユーザプロファイルデータを、前記第２の無線通信デバイスに対する前記取り出されたユーザ選好データと分析することと、前記第２の無線通信デバイスからの前記取り出されたユーザプロファイルデータを、前記第１の無線通信デバイスからの前記取り出されたユーザ選好データと分析することと、それにより、前記第１および第２の無線通信デバイス間で一致があるかを判定することと、前記ネットワークサーバが、前記分析が一致を指示する場合、一致インジケータを前記無線アクセスポイントに戻すことと、をさらに含む、請求項４０に記載の方法。
【請求項４２】
前記ネットワークサーバに関連するデータ記憶領域において、前記第１および第２の無線通信デバイスのそれぞれに対するユーザ選好データを記憶するネットワークサーバで使用するための方法であって、前記交換されたデータは、識別データを含み、
前記無線アクセスポイントが、通信ネットワークを介して、前記第１および第２の無線通信デバイスに対する前記ユーザ識別データを、前記ネットワークサーバに伝送することと、
前記第１および第２の無線通信デバイスのそれぞれに対する前記識別データを伝送することに応答して、前記第１および第２の無線通信デバイスに対する前記ユーザ選好データを受信することと、
をさらに含む、請求項３１に記載の方法。
【請求項４３】
前記無線アクセスポイントが、前記第１の無線通信デバイスからの前記受信されたユーザプロファイルデータを、前記ネットワークサーバから受信される前記第２の無線通信デバイスに対する前記ユーザ選好データと分析することと、
前記第２の無線通信デバイスからの前記受信されたユーザプロファイルデータを、前記ネットワークサーバから受信される前記第１の無線通信デバイスに対する前記ユーザ選好データと分析し、前記第１および第２の無線通信デバイス間で一致があるかを判定することと、をさらに含む、請求項４２に記載の方法。
【請求項４４】
無線通信デバイスからのデータを処理するための方法であって、
第１の無線通信デバイスの記憶位置において、ユーザ関連データを記憶することと、
前記第１の無線通信デバイスと第２の無線通信デバイスとの間で、無線通信リンクを確立することと、
前記第１の無線通信デバイスと第２の無線通信デバイスとの間の前記無線通信リンクの確立後に、前記第１の無線通信デバイスの前記記憶位置における前記ユーザ関連データを抽出することと、
前記抽出されたユーザ関連データを、前記第２の無線通信デバイスのユーザと関連するウェブページに転送することと、
前記ウェブページと関連する記憶位置において、前記転送データを記憶することと、
前記記憶された転送データを取り出すために、前記ウェブページにアクセスすることと、
を含む、方法。
【請求項４５】
前記抽出されたユーザ関連データを、前記第２の無線通信デバイスのユーザと関連する前記ウェブページに転送することは、前記第２の無線通信デバイス内の広域ネットワークトランシーバを使用して実行される、請求項４４に記載の方法。
【請求項４６】
前記抽出されたユーザ関連データを、前記第２の無線通信デバイスのユーザと関連する前記ウェブページに転送することは、前記第２の無線通信デバイスが通信リンクを確立した無線ネットワークアクセスポイントを使用して実行される、請求項４４に記載の方法。
【請求項４７】
前記第１の無線通信デバイスと第２の無線通信デバイスとの間の前記無線通信リンクは、前記第１および第２の無線通信デバイスのそれぞれにおけるトランシーバ間の直接通信によって確立される、請求項４４に記載の方法。
【請求項４８】
前記トランシーバは、短距離トランシーバである、請求項４７に記載の方法。
【請求項４９】
前記トランシーバは、非ネットワークトランシーバである、請求項４７に記載の方法。
【請求項５０】
前記第１の無線通信デバイスと第２の無線通信デバイスとの間の前記無線通信リンクは、無線ネットワークアクセスポイントと前記第１および第２の無線通信デバイスのそれぞれにおけるトランシーバとの間の通信によって確立される、請求項４７に記載の方法。
【請求項５１】
前記第１の無線通信デバイスと前記第２の無線通信デバイスとの間の前記無線通信リンクの確立後に、前記ユーザ関連データの少なくとも一部を、前記第１の無線通信デバイスの前記記憶位置から前記第２の無線通信デバイスに提供することと、
前記第２の無線通信デバイスのユーザによって指定される選好データに関する、前記ユーザ関連データの前記部分前記部分を分析し、前記ユーザ関連データの前記部分と前記ユーザ指定選好データとの間で一致があるかを判定することと、
をさらに含む、請求項４４に記載の方法。
【請求項５２】
前記第１の無線通信デバイスの前記記憶位置における前記ユーザ関連データを抽出することは、前記ユーザ関連データの前記一部と前記ユーザ指定選好データとの間の一致の判定後のみ許可される、請求項５１に記載の方法。
【請求項５３】
前記第２の無線通信デバイスは、前記第２の無線通信デバイスの記憶位置において、ユーザ関連データを記憶し、
前記第１の無線通信デバイスと前記第２の無線通信デバイスとの間の前記無線通信リンクの確立後に、前記ユーザ関連データの少なくとも一部を、前記第２の無線通信デバイスの前記記憶位置から前記第１の無線通信デバイスに提供することと、
前記第１の無線通信デバイスのユーザによって指定される選好データに関する、前記ユーザ関連データの前記部分前記部分を分析し、前記ユーザ関連データの前記部分と前記ユーザ指定選好データとの間で一致があるかを判定することと、
をさらに含む、請求項４４に記載の方法。
【請求項５４】
前記第２の無線通信デバイスの前記記憶位置における前記ユーザ関連データを抽出することは、前記ユーザ関連データの前記一部と前記ユーザ指定選好データとの間の一致の判定後のみ許可される、請求項５３に記載の方法。
【請求項５５】
前記第１の無線通信デバイスの前記記憶位置における前記ユーザ関連データを抽出することは、前記第２の無線通信デバイスから受信され、前記無線通信リンクを介して、前記第１の無線通信デバイスから前記第２の無線通信デバイスに伝送されるデータに対するリクエストに応答して、前記第１の無線通信デバイスによって実行される、請求項４４に記載の方法。
【請求項５６】
前記第１の無線通信デバイスの前記記憶位置における前記ユーザ関連データを抽出することは、無線ネットワークアクセスポイントから受信され、前記第１の無線通信デバイスと前記無線ネットワークアクセスポイントとの間の前記無線通信リンクを介して、前記第１の無線通信デバイスから前記無線ネットワークアクセスポイントに伝送されるデータに対するリクエストに応答して、前記第１の無線通信デバイスによって実行される、請求項４４に記載の方法。
【請求項５７】
前記抽出されたユーザ関連データを前記第２の無線通信デバイスのユーザと関連する前記ウェブページに転送することは、前記無線ネットワークアクセスポイントを使用して実行される、請求項４４に記載の方法。
【請求項５８】
第３の無線通信デバイスの記憶位置において、ユーザ関連データを記憶することと、
前記第２の無線通信デバイスと前記第３の無線通信デバイスとの間で無線通信リンクを確立することと、
前記第２の無線通信デバイスと前記第３の無線通信デバイスとの間の前記無線通信リンクの確立後に、前記第３の無線通信デバイスの記憶位置における前記ユーザ関連データを抽出することと、
前記抽出されたユーザ関連データを、前記第２の無線通信デバイスの前記ユーザと関連する前記ウェブページに転送することと、
前記ウェブページと関連する前記記憶位置において、前記転送データを記憶することと、
をさらに含む、請求項４４に記載の方法。 
【発明の詳細な説明】
【技術分野】
【０００１】
本発明は、概して、無線通信デバイスに関し、より具体的には、無線通信デバイス間の直接通信を可能にするシステムおよび方法に関する。
【背景技術】
【０００２】
無線通信ネットワークは、ありふれたものとなった。無数の基地局が、多くの異なる無線サービスプロバイダによって提供される。携帯電話、パーソナル通信システム（ＰＣＳ）デバイス、パーソナルデジタルアシスタント（ＰＤＡ）デバイス、およびウェブ対応無線デバイス等の無線通信デバイスは、１つ以上の既知の通信プロトコルを使用して、種々の基地局と通信する。初期の携帯電話デバイスがアナログ操作および音声専用通信に制限されていた一方で、より最新の無線デバイスは、デジタル信号プロトコルを使用し、音声信号、画像データ、およびビデオストリーミングでさえの転送を可能にするのに十分な帯域幅を有する。加えて、ウェブ対応デバイスは、インターネットアクセス等のネットワークアクセスを提供する。
【０００３】
全ての場合において、個々の無線通信デバイスは、１つ以上の基地局と通信する。２つの無線通信デバイスが相互から数フィートに位置する時でさえ、無線デバイス間の直接通信はない。すなわち、無線デバイスは、１つ以上の基地局および無線通信ネットワークの他の要素を介して、相互と通信する。
【０００４】
いくつかの無線サービスプロバイダは、グループメンバーがプッシュトゥトーク（ＰＴＴ）技術を使用して相互と通信することを可能にする、ＰＴＴ技術を含んでいる。したがって、１人のグループメンバーがＰＴＴボタンを押す時に、その個人からの通信は、他のグループメンバーの通信デバイスに自動的に伝送される。これは、無線デバイス間の直接通信のように見えるが、グループメンバー間の通信もまた、無線ネットワークの一部としての１つ以上の基地局を介して中継される。
【０００５】
したがって、基地局を介して通信ネットワークと通信することができるが、近隣の無線デバイスと直接通信することもできる、無線通信デバイスの必要性があることが理解できる。本発明は、以下の発明を実施するための形態および添付の図面から明らかになるように、この利点および他の利点を提供する。
【図面の簡単な説明】
【０００６】
【図１】本教示に従った通信システムを実装するように構成される、システムアーキテクチャを示す図である。
【図２】図１の無線通信デバイスのうちの１つの機能ブロック図である。
【図３】図２の無線通信デバイスにおけるプロファイル記憶の一実施例を示す。
【図４】図２の無線通信デバイスの動作モードを示す。
【図５】図１の無線通信デバイスの動作を示す、フローチャートである。
【図６】代替の実施形態において通信システムを実装するように構成される、システムアーキテクチャを示す図である。
【図７】図６のアクセスポイントによって提供される、サービスエリアを示す。
【図８】図６の無線通信デバイスの動作を示す、フローチャートである。
【図９】情報を自動的に抽出し、ユーザ制御ウェブページと関連してそれを記憶するための、図６の無線通信デバイスの動作を示すフローチャートである。
【発明を実施するための形態】
【０００７】
本明細書に記載するシステムは、従来の無線通信デバイスの通常の動作特徴を拡張する。上記のように、従来の無線通信デバイスは、基地局を介して無線通信ネットワークと通信する。本明細書に記載する拡張機能は、無線通信デバイスが短距離にわたって相互と直接通信することを可能にする、第２のトランシーバデバイスを提供する。無線通信デバイスは、図１のシステムアーキテクチャに図示されるシステム１００の一部として図示される。システム１００の複数の部分は、本明細書に簡潔に記載される、従来のネットワーク構成要素である。ここで「ジャンプ可能」デバイスまたは「ジャンプ」デバイスと称され得る、非ネットワーク通信能力は、以下により詳細に記載される。
【０００８】
従来の無線通信ネットワーク１０２は、基地局１０４を含む。当業者は、典型的な無線通信ネットワーク１０２が多数の基地局１０４を含むことを理解するであろう。しかしながら、簡潔および明確にするために、かつ本発明を理解するために、図１は、単一の基地局１０４のみを示す。
【０００９】
基地局１０４は、基地局コントローラ（ＢＳＣ）１０６に連結される。同様に、ＢＳＣ１０６は、ゲートウェイ１０８に連結される。ＢＳＣ１０６はまた、移動通信交換局（図示せず）または他の従来の無線通信ネットワーク要素に連結されてもよい。ゲートウェイ１０８は、ネットワーク１１０へのアクセスを提供する。ネットワーク１１０は、無線通信ネットワーク１０２のプライベートコアネットワークであってもよく、またはインターネット等の広域パブリックネットワークであってもよい。図１において、ユーザコンピューティングデバイス１１２は、ネットワーク１１０に連結されるように図示される。
【００１０】
簡潔にするために、無線通信ネットワークの多数の従来のネットワーク構成要素は、省略されている。特定のネットワーク構成要素は、無線通信ネットワーク１０２の実装に応じて異なり得る（例えば、ＣＤＭＡ対ＧＳＭ（登録商標））。しかしながら、これらの要素は、当該技術分野において既知であり、本明細書においてより詳細に記載する必要はない。
【００１１】
無線通信デバイス１２０〜１２８もまた、図１に示される。無線通信デバイス１２０〜１２８は、基地局１０４と通信することが可能である、多くの異なる種類の従来の無線通信デバイスの例示である。当業者は、無線通信ネットワーク１０２が種々の異なるシグナリングプロトコルを使用して通信し得ることを理解するであろう。例えば、システム１００は、一例として、ＣＤＭＡ、ＷＣＤＭＡ、ＧＳＭ（登録商標）、ＵＭＴＳ等を使用して成功裏に実装され得る。システム１００は、無線通信ネットワーク１０２に対する任意の特定の動作モードによって制限されない。
【００１２】
図１に示すように、無線通信デバイス１２０は、無線ネットワーク通信リンク１３０を介して、基地局１０４と通信する。同様に、無線通信デバイス１２２は、無線ネットワーク通信リンク１３２を介して、基地局１０４と通信する。図１に示す無線通信デバイスのそれぞれ（例えば、無線通信デバイス１２０〜１２８）は、基地局１０４を介した無線通信ネットワーク１０２との従来の通信を可能にするために、従来のトランスミッタ／レシーバまたはトランシーバ構成要素を含有する。従来のネットワーク通信の動作の詳細は、当該技術分野において既知であり、本明細書においてより詳細に記載する必要はない。
【００１３】
従来のネットワークトランシーバ構成要素に加えて、図１に示すジャンプ可能無線通信デバイス（例えば、無線通信デバイス１２０〜１２８）はまた、デバイス間の直接通信を可能にするために、第２の短距離トランシーバを含む。この短距離通信は、非ネットワーク通信リンクを介して達成される。例えば、無線通信デバイス１２０は、無線ネットワーク通信リンク１３０を介して、基地局１０４と通信する。同様に、無線通信デバイス１２２は、ネットワーク無線通信リンク１３２を介して、基地局１０４と通信する。しかしながら、加えて、無線通信デバイス１２０および１２２は、非ネットワーク通信リンク１３４を介して、相互と直接通信してもよい。
【００１４】
図１に示すように、無線通信デバイス１２４は、無線通信ネットワーク１０２と通信していない。しかしながら、無線通信デバイス１２４は、非ネットワーク無線通信リンク１３６を介して、無線通信デバイス１２２と直接通信することができる。無線通信デバイス１２６〜１２８もまた、図１に示す。これらのデバイス（すなわち、無線通信デバイス１２６〜１２８）のどちらも無線通信ネットワーク１０２と通信していないが、２つのデバイスは、非ネットワーク無線通信リンク１３８を介して、相互と直接通信している。したがって、ジャンプ可能無線通信デバイスは、相互に近接していなければならないが、無線通信ネットワークと通信している必要はなく、または無線通信ネットワーク１０２により提供される無線サービスエリア内に入っている必要さえない。
【００１５】
図２は、図１に示す無線通信デバイスのうちの１つ（例えば、無線通信デバイス１２０）を示す、機能ブロック図である。無線通信デバイス１２０は、中央処理装置（ＣＰＵ）１５０を含む。当業者は、ＣＰＵ１５０が従来のマイクロプロセッサ、特定用途向け集積回路（ＡＳＩＣ）、デジタルシグナルプロセッサ（ＤＳＰ）、プログラマブルゲートアレイ（ＰＧＡ）等として実装されてもよいことを理解するであろう。無線通信デバイス１２０は、特定の形態のＣＰＵ１５０によって制限されない。
【００１６】
図２の無線通信デバイス１２０はまた、メモリ１５２を含有する。メモリ１５２は、ＣＰＵ１５０の動作を制御するための命令およびデータを記憶してもよい。メモリ１５２は、ランダムアクセスメモリ、読み出し専用メモリ、プログラム可能メモリ、フラッシュメモリ等を含んでもよい。無線通信デバイス１２０は、メモリ１５２を実装するために使用される任意の特定の形態のハードウェアによって制限されない。メモリ１５２はまた、ＣＰＵ１５０と全体的または部分的に一体形成されてもよい。
【００１７】
図２の無線通信デバイス１２０はまた、ディスプレイ１５４およびキーパッドまたはキーボード１５６等の従来の構成要素を含む。これらは、既知の方法で動作し、より詳細に記載する必要がない、従来の構成要素である。ＵＳＢインターフェース、ブルートゥースインターフェース、カメラ／ビデオデバイス、赤外線デバイス等の無線通信デバイスにおいて見られる他の従来の構成要素もまた、無線通信デバイス１２０に含まれてもよい。明確にするために、これらの従来の要素は、図２の機能ブロック図に示されない。
【００１８】
図２の無線通信デバイス１２０はまた、基地局１０４との通常のネットワーク無線通信のために、無線通信デバイス１２０によって使用され得るような、ネットワークトランスミッタ１６２を含む（図１を参照されたい）。図２はまた、基地局１０４と通信するために、ネットワークトランスミッタ１６２と連動して動作する、ネットワークレシーバ１６４も示す。典型的な実施形態では、ネットワークトランスミッタ１６２およびネットワークレシーバ１６４は、ネットワークトランシーバ１６６として実装される。ネットワークトランシーバ１６６は、アンテナ１６８に接続される。無線ネットワーク１０２との通信のためのネットワークトランシーバ１６６およびアンテナ１６８の動作は、当該技術分野においてよく知られており、本明細書においてより詳細に記載する必要はない。
【００１９】
図２の無線通信デバイス１２０はまた、他のジャンプ可能無線通信デバイス（例えば、図１の無線通信デバイス１２２）との直接通信のために、無線通信デバイス１２０によって使用される、非ネットワークトランスミッタ１７２を含む。図２はまた、他のジャンプ可能無線通信（例えば、図１の無線通信デバイス１２２）と直接通信するために、非ネットワークトランスミッタ１７２と連動して動作する、非ネットワークレシーバ１７４も示す。典型的な実施形態では、非ネットワークトランスミッタ１７２および非ネットワークレシーバ１７４は、非ネットワークトランシーバ１７６として実装される。非ネットワークトランシーバ１７６は、アンテナ１７８に接続される。例示的な実施形態では、アンテナ１６８および１７８は、単一アンテナとして実装される共通の構成要素を有してもよい。
【００２０】
例示的な実施形態では、非ネットワークトランシーバ１７６は、ＩＥＥＥ規格８０２．１１に従った動作のために設計されてもよい。一実施形態では、ジャンプ可能無線通信デバイスは、ＩＥＥＥ８０２．１１により定義される「アドホック」モードで動作し、デバイスが独立ベーシックサービスセット（ＩＢＳＳ）ネットワーク構成で動作することを可能にする。このように、ジャンプ可能無線通信デバイス（例えば、無線通信デバイス１２０〜１２８）は、無許可の周波数帯域を使用して、ピアツーピアで相互と直接通信する。低出力動作は、通信範囲を約１００フィートに制限する。ジャンプ可能デバイスの動作範囲は、１００フィートよりも大きいか、または小さくてもよいが、ジャンプ可能無線通信デバイスは、短距離通信能力のために設計される。
【００２１】
全てのジャンプ可能無線通信デバイスは、各ジャンプ可能無線通信デバイスが他のジャンプ可能無線通信デバイスを検出および識別することを可能にするために、同一のサービスセット識別子（ＳＳＩＤ）および同一の物理的無線チャネル（ＰＨＹ）を使用する。加えて、アクセスポイントがないため、全てのジャンプ可能無線通信デバイスは、共用無線チャネルへのアクセスおよび無線媒体で動作するプロトコルを調整することによって、ジャンプ可能無線通信デバイス間の通信を制御、管理、および維持する、媒体アクセス層（ＭＡＣ）の責任を担う。例示的な実施形態では、ＭＡＣは、ＩＥＥＥ８０２．２に従って実装される。物理層（ＰＨＹ）において、トランシーバは、直接周波数スペクトラム拡散（ＤＳＳＳ）または周波数ホッピングスペクトラム拡散（ＦＨＳＳ）動作モードで動作してもよい。あるいは、ＰＨＹ層は、赤外線トランシーバを使用して実装されてもよい。ＩＥＥＥ８０２．１１規格は、デバイスがアドホックを使用しているか、またはインフラストラクチャモードを使用しているかにかかわらず、共通の動作を定義する。アドホックモードの使用は、プロトコルのみに影響を与えるため、ＰＨＹ層には影響がない。したがって、無線通信デバイス１２０は、５ギガヘルツ（ＧＨｚ）のＩＥＥＥ８０２．１１ａ下で、または２．４ＧＨｚのＩＥＥＥ８０２．１１ｂ／ｇ下で動作してもよい。
【００２２】
動作中、第１のアクティブなジャンプ可能デバイス（例えば、無線通信デバイス１２０）は、ＩＢＢＳを確立し、１秒当たり約１０でのビーコン信号の送信を開始する。ビーコン信号は、種々のジャンプ可能デバイス間の同期を維持するために使用される。他のアドホックジャンプ可能無線通信デバイス（例えば、図１の無線通信デバイス１２２）は、ビーコン信号を受信し、ＩＢＳＳパラメータを受け入れた後に、ネットワークに参加することができる。ビーコン信号を受信した後に、各局は、ビーコンフレームに見られるタイムスタンプで、それらの内部クロックを更新する。これは、全ての局が、同時に、ビーコン伝送および電力管理機能等の動作を実行することが可能であることを確実にする。ＩＥＥＥ８０２．１１下のデバイスの動作は、概して、当該技術分野において既知であり、本明細書においてより詳細に記載する必要はない。いったん非ネットワーク無線通信リンク（例えば、図１の無線通信デバイス１２０と１２２との間の非ネットワーク無線通信リンク１３４）が確立されると、２つの無線通信デバイスに記憶されるプロファイルデータは、分析される。例示的な実施形態では、コントローラ１８２は、それが非ネットワーク無線通信リンクを確立する任意のジャンプ可能デバイスに、プロファイル記憶１８４に記憶されるデータの一部を伝送する。加えて、コントローラ１８２は、非ネットワーク通信リンクが確立された無線通信デバイスにおける対応するプロファイル記憶１８４からデータの複数の部分を受信してもよい。プロファイル分析の詳細を以下に提供する。
【００２３】
当業者は、コントローラ１８２はメモリ１５２に記憶され、ＣＰＵ１５０によって実行される、一連のコンピュータ命令として実装されてもよいことを理解するであろう。しかしながら、コントローラ１８２は、別個の機能を実行するため、図２の機能ブロック図において別個のブロックとして示される。
【００２４】
プロファイル記憶１８４は、データ表、データベース、スプレッドシート等の形態であるかどうかにかかわらず、任意の便利なデータ構造として実装されてもよい。例示的な実施形態では、プロファイル記憶１８４は、メモリ１５２の一部として実装されてもよいが、無線通信デバイス１２０において別個の機能を実行するため、図２の機能ブロック図において示される。一実施形態では、プロファイル記憶１８４は、別のジャンプ可能無線通信デバイスに容易に転送可能になるように、リムーバブルメモリカード上で実装されてもよい。いくつかの従来の無線通信デバイスは、容易に取り付けられ、かつ取り外しされ、それにより、顧客が電話を交換することを容易にする、リムーバブル加入者識別モジュール（ＳＩＭ）カードを利用する。同様に、プロファイル記憶１８４は、ＳＩＭカードまたは同様のデバイスの一部として実装され得る。
【００２５】
図２に示す種々の構成要素は、バスシステム１８６によって一緒に連結される。バスシステムは、アドレスバス、データバス、電力バス、制御バス等を含んでもよい。便宜上、図２の種々のバスは、バスシステム１８６として示される。
【００２６】
ジャンプ可能無線通信デバイス１２０が任意の他のジャンプ可能無線通信デバイス（例えば、図１の無線通信デバイス１２２）の範囲内に入る時、非ネットワーク無線通信リンク（例えば、非ネットワーク無線通信リンク１３４）を確立する。しかしながら、ジャンプ可能無線通信デバイス１２０〜１２２のユーザは、検出をすぐに通知されない場合がある。代わりに、コントローラ１８２は、各デバイスにおけるプロファイル記憶１８４を分析し、それぞれの無線通信デバイスのユーザに通知を与える、好適な一致があるかどうかを判定する。この態様において、システム１００は、ジャンプ可能無線通信デバイス間の直接通信リンク上に実装される、無線ソーシャルネットワークとしての機能を果たす。従来のソーシャルネットワークは、ユーザ起動であった。すなわち、ユーザが、潜在的なコンタクトを識別し、その人物の「友達」リストへの追加を求めなければならなかった。対照的に、システム１００は、初期コンタクトがプロファイル記憶１８４からの一致パラメータの判定に基づき自動的に行われる点で、自動起動される。
【００２７】
図３は、プロファイル記憶１８４に記憶され得る、個人データおよび選好データの一形態を示す。プロファイル記憶１８４の一部分において、無線通信デバイス１２０のユーザは、個人データを入力してもよい。ここで使用されるように、無線通信デバイスの個々の所有者を説明するために使用される個人データは、プロファイル記憶１８４の「ジャンプイン」データ部分１９０と称されるか、または単純に、ジャンプインデータと称される。ジャンプインデータは、ユーザが別のジャンプ可能無線通信デバイスに対して利用可能にしたいと望む、ユーザに関する任意の個人データを含むことができる。ジャンプインデータとしては、名前、性別、年齢、身長、体重、地位（例えば、関係状況）、職業／所属、趣味／興味、ｅメールアドレス、ジャンプウェブページリンク、電話番号等が挙げられ得るがこれに限定されない。職業／所属は、専門的職業に関する職務情報、ならびに特定の学校の生徒等の所属を含んでもよい。加えて、所属は、一例として、宗教的所属、または特定のフットボールまたは野球チームのファン等のスポーツファンの所属を含んでもよい。ｅメールアドレスおよび電話番号等のいくつかの情報は、任意であってもよい。
【００２８】
無線通信デバイス１２０のユーザが求めている関係またはコンタクトに対する選好データの表も図３に示す。選好データは、本明細書において、プロファイル記憶１８４の「ジャンプアウト」データ部分１９２と称されるか、または単純に、ジャンプアウトデータと称される。ジャンプアウトデータとしては、性別、年齢、身長、体重、地位、職業／所属、趣味／興味等が挙げられ得るがこれに限定されない。あるいは、ユーザは、全く選好を指定しなくてもよい。
【００２９】
一実施形態では、非ネットワーク無線通信リンクが確立されている無線通信デバイスのそれぞれは、他の検出されたジャンプ可能無線通信デバイスとジャンプインデータを交換してもよい。例えば、図１の無線通信デバイス１２６が別のジャンプ可能無線通信デバイス（すなわち、無線通信デバイス１２８）の存在を検出する時、非ネットワーク無線通信リンク１３８が確立される。いったん非ネットワーク無線通信リンク１３８が確立されると、無線通信デバイス１２６は、そのジャンプインデータを無線通信デバイス１２８に伝送する。実質的に同時に、無線通信デバイス１２８は、そのジャンプインデータを無線通信デバイス１２６に伝送する。各無線通信デバイスのそれぞれにおけるコントローラ１８２は、受信されたジャンプインデータをそれぞれのプロファイル記憶１８４に記憶されるジャンプアウト選好データと比較する。受信されたジャンプインデータが無線通信デバイスのそれぞれに対するジャンプアウト選好データに対して好適な一致を提供する場合、それぞれの無線通信デバイスにおけるコントローラ１８２は、無線通信デバイスのユーザにコンタクト通知を生成する。
【００３０】
一実施形態では、無線通信デバイス（例えば、図１の無線通信デバイス１２６〜１２８）は、ジャンプアウト選好が提示されているデータ要素に対するジャンプインデータのみを交換する。例えば、１つの無線通信デバイスのジャンプアウト選好データが年齢、身長、または体重に関する選好を示さない場合、コントローラ１８２は、年齢、身長、および体重を引いたジャンプインデータを伝送してもよい。当業者は、ジャンプインデータのどの部分が伝送されなければならないかを最初に確立するために、追加の通信がそれぞれのコントローラ１８２間で交換されなければならないことを理解するであろう。
【００３１】
コンタクト通知は、それぞれの無線通信デバイスのディスプレイ１５４に送信されるデータの形態であってもよい。加えて、無線通信デバイスは、ビープ音または他の音色の形態の音声通知を提供してもよい。さらに別の代替の実施形態では、コントローラ１８２は、ユーザが無線通信デバイスをサイレントモードで配置する場合、無線通信デバイスを通知の形態として振動させてもよい。
【００３２】
例示的な実施形態では、コンタクト通知は、各無線通信デバイス１２６〜１２８のそれぞれにおけるコントローラ１８２が受信されたジャンプイン個人データとジャンプアウト選好データとの間で好適な一致を見つける場合のみ生成される。例えば、無線通信デバイス１２６から無線通信デバイス１２８に伝送されるジャンプインデータは、無線通信デバイス１２８におけるプロファイル記憶１８４に記憶される、ジャンプアウト選好データに対して好適な一致を提供してもよい。これは、好適な一致を提供し得る。しかしながら、無線通信デバイス１２８から無線通信デバイス１２６に伝送されるジャンプイン個人データが無線通信デバイス１２６のプロファイル記憶１８４におけるジャンプアウト選好データに対して好適な一致を提供しなかった場合、どちらの無線通信デバイスも、ユーザにコンタクト通知を提供しない。本実施形態では、各コントローラ１８２のそれぞれが、一致が存在すること、およびコンタクト通知が無線デバイスのそれぞれにおいて生成され得ることを判定したことを指示するために、二次通信が無線通信デバイス間で生じなければならない。
【００３３】
あるいは、コントローラ１８２および無線通信デバイス１２６は、なんらかの一致が生じた可能性があることを指示するが、全ての選好データが受信されたジャンプインデータと一致したわけではないことを指示する仮のコンタクト通知を、無線通信デバイスのユーザに提供してもよい。例えば、受信されたジャンプインデータは、いくつかのカテゴリにおいてジャンプアウト選好データと一致し得るが、職業／所属カテゴリにおいて一致しない。無線通信デバイス１２６におけるコントローラ１８２は、不一致の領域を指示し、ユーザに選好不一致を無効にするオプションを与えてもよい。この場合、コンタクト通知は、両方の無線通信デバイス１２６および１２８のユーザに送信され得る。
【００３４】
さらに別の代替例において、コンタクト通知は、無線通信デバイスのうちの一方または両方において、ジャンプインデータとジャンプアウト選好データ間で不一致があった場合でさえ、両方の無線通信デバイス（例えば、図１の無線通信デバイス１２６〜１２８）のユーザに提供されてもよい。これは、無線通信デバイスのユーザに、コンタクトを続行することを可能にするオプションを提供し得る。無線通信デバイスがディスプレイ１５４の付近にプログラム可能ボタンを有してもよいことはよく知られている。あるいは、ディスプレイ１５４は、プログラム可能ボタンがタッチスクリーン自体上に示されることを可能にする、タッチディスプレイであってもよい。ユーザは、コンタクトを継続するか、またはコンタクトを終了するために、プログラム可能ボタンのうちの１つを起動してもよい。上で述べたように、ユーザは、ジャンプアウト選好データにおいて全く選好を指定しなくてもよい。このオプションの選択により、一実施形態では、無線通信デバイスは、別のジャンプ可能無線通信デバイスとの任意のコンタクトをユーザに通知することができる。あるいは、ジャンプアウト選好データを指定しないユーザは、そのユーザのジャンプインデータが、非ネットワーク通信リンクが確立しているジャンプ可能無線通信デバイスのジャンプアウトデータに一致する場合、コンタクト通知を受信のみしてもよい。
【００３５】
さらに別の実施形態では、両方の無線通信デバイスのユーザは、ジャンプアウト選好データにおいて指定される選好を有しなくてもよい。この場合、各無線通信デバイスにおけるコントローラ１８２は、非ネットワーク無線通信リンクが確立されるとすぐに、コンタクト通知を生成してもよい。
【００３６】
当業者は、ジャンプインデータおよびジャンプアウトデータが柔軟な方法で実装され得ることを理解するであろう。例えば、ユーザは、いくつかの要因が他の要因よりも重要となるように、ジャンプアウトデータにおける選好データに優先順位を付けるか、または重み付けしてもよい。さらに別の実施形態では、要因の重み付けは、ユーザによって容易に変更されてもよい。例えば、ユーザは、市外のスポーツイベントに参加する場合がある。ユーザは、同じスポーツの所属を有する（すなわち、彼らは同じチームのファンである）、それらの近隣のジャンプ可能無線通信デバイスのみを識別するために、所属に対する重み付け要因を変更してもよい。別の実施例として、ユーザは、大学のホームカミングデーのフットボールの試合に参加する場合があり、卒業年月日、専攻、またはそれらの組み合わせのいずれかによって、大学の同級生を識別するために、重み付け要因を増加したいと望む場合がある。したがって、ユーザは、非常に柔軟にジャンプアウト選好データの入力を行い、それにより、そのユーザによって検索される固有の特徴を有するユーザが所有する、近隣のジャンプ可能デバイスを選択的に識別する。このように、無線通信デバイス（例えば、無線通信デバイス１２０）は、特徴が無線通信デバイスのユーザによって指示される選好に一致する、近隣の個人を識別する、自動検出ソーシャルネットワーキングデバイスとしての機能を果たす。
【００３７】
上記の考察は、２つのジャンプ可能無線通信デバイス間の相互作用を説明する。しかしながら、概念は、複数の無線通信デバイスまで拡張され得る。図１に示すように、無線通信デバイス１２２は、無線通信デバイス１２０および１２４の範囲内にある。無線通信デバイス１２０および１２４の存在が無線通信デバイス１２２によって検出される時、非ネットワーク無線通信リンク１３４および１３６がそれぞれ確立される。いったん非ネットワーク無線通信リンクが確立されると、デバイスのそれぞれは、他の検出されたジャンプ可能無線通信デバイスに、ジャンプインデータを伝送する。図１の実施例では、無線通信デバイス１２２は、そのジャンプインデータを、無線通信デバイス１２０および無線通信デバイス１２４の両方に伝送する。同様に、無線通信デバイス１２２は、無線通信デバイス１２０からジャンプインデータを受信し、また、無線通信デバイス１２４からもジャンプインデータを受信する。無線通信デバイス１２２におけるコントローラ１８２は、無線通信デバイス１２２のプロファイル記憶１８４に記憶されるジャンプアウト選好データとの比較のために、受信されたジャンプインデータのセットのそれぞれに分析を実行する。したがって、コントローラ１８２は、ジャンプインデータおよび記憶されたジャンプアウト選好データの複数のセット間で十分な一致がある場合、ユーザに複数のコンタクト通知を送信してもよい。当業者は、この概念が、多数のジャンプ可能無線通信デバイスまでさらに拡張され得ることを理解できるであろう。
【００３８】
ユーザは、種々の異なる方法で、ジャンプインおよびジャンプアウトデータをプロファイル記憶１８４に入力してもよい。無線通信デバイス（例えば、図１〜２の無線通信デバイス１２０）上で起動する、比較的単純なアプリケーションプログラムは、ユーザがキーボード１５６を介してデータを入力することを可能にし得る。アプリケーションはまた、ユーザがジャンプアウトデータにおける選好順序を調整すること、または特定のデータ要素（例えば、身長および体重）が選好を有しないことを公表することを可能にし得る。
【００３９】
代替の実施形態では、ユーザは、ジャンプインデータおよびジャンプアウト選好データを遠隔から入力してもよい。図１に示すように、ユーザは、ユーザコンピューティングデバイス１１２およびネットワーク１１０を介して、ジャンプインおよび／またはジャンプアウトデータを入力するために、ユーザコンピュータデバイス１１２を操作してもよい。ユーザ入力データは、ゲートウェイ１０８を介して、最終的には、基地局１０４を介して、ジャンプ可能無線通信デバイスに伝送される。本実施形態では、プロファイル記憶１８４に対するデータは、ネットワーク通信リンクを介して提供され、無線通信ネットワーク１０２を介してジャンプ可能無線通信デバイスにダウンロードされる。
【００４０】
非ネットワーク無線通信リンクは、無線通信ネットワーク１０２を介する通信に取って代わることを目的としてない。当業者は、短い通信距離のために、非無線通信リンクが基本的に一時的であることを理解するであろう。ジャンプ可能無線通信デバイスは、人物が共通の興味を共有し得る、近隣のコンタクトを識別することを目的とする。したがって、ジャンプ可能通信デバイスは、一時的検出および導入技術としての役割を果たすが、無線通信ネットワーク１０２を通して生じる、通常の音声通信、テキストメッセージ、写真共有、ビデオ共有等には取って代わらない。典型的な動作において、後続の通信は、直接、またはｅメール、テキストメッセージ、無線通話等の無線通信ネットワーク上の通信を通して行われてもよい。
【００４１】
ジャンプ可能無線通信デバイス１２０はまた、多数のウェブ対応アプリケーションを有する。例えば、個々のユーザは、その個人に関する情報でジャンプウェブサイトを設定してもよい。この態様において、ジャンプウェブサイトは、個々のウェブサイトおよび任意の他の従来のソーシャルネットワークと同様であってもよい。ジャンプウェブサイトは、ユーザコンピューティングデバイス１１２からネットワーク１１０を介してアクセスされてもよい（図１を参照されたい）。あるいは、ジャンプウェブサイトは、任意のウェブ対応無線通信デバイスによってアクセスされてもよい。例えば、図１において、非ネットワーク無線通信リンク１３４は、無線通信デバイス１２０と１２２との間で確立されている。無線デバイスは、上記のようにジャンプインデータを交換し、それは、コントローラ１８２によって分析される（図２を参照されたい）。受信されたジャンプインデータとプロファイル記憶１８４に記憶されるジャンプアウトデータとの間で一致が生じる場合、コンタクトインジケータが上記のように生成される。初期コンタクトに続いて、無線デバイス（例えば、無線デバイス１２０）のユーザは、コンタクトが行われたばかりの個人に対する個人のジャンプウェブページにアクセスするために、無線通信デバイスのウェブ閲覧能力を使用してもよい。本実施形態は、無線通信デバイス１２０がネットワーク無線通信リンク１３０を介して基地局１０４と通信する、図４に示される。無線通信デバイス１２０は、ネットワーク１１０を介したジャンプネットワークウェブサイト１９６へのアクセスを要求するために、従来のウェブ閲覧技術を使用してもよい。さらに、無線通信デバイス１２０は、無線通信デバイス１２２のユーザに対応する、個人のジャンプウェブページ１９８へのアクセスを要求してもよい。例示的な実施形態では、非ネットワーク無線通信リンク１３４を介した無線通信デバイス１２０〜１２２間の初期データ交換は、個人のジャンプウェブページ１９８へのリンクを含んでもよい。すなわち、それぞれの無線通信デバイス１２０および１２２におけるコントローラ１８２によって、一致が判定される場合、無線通信デバイス１２０は、個人のジャンプウェブページ１９８に容易にアクセスするために、伝送されたジャンプウェブページリンクを使用してもよい。したがって、非ネットワーク無線通信リンク１３４を介して行われる初期ソーシャルコンタクトは、無線通信デバイスのユーザが無線通信ネットワーク１０２を介してさらなる情報を得ることを可能にするためのウェブリンクの形態で、追加情報を容易に提供することができる。図４は、基地局１０４とネットワーク１１０との間の通信リンク２００を示すことに留意されたい。破線としてのこの通信リンク２００は、無線通信ネットワーク１０２の一部であり、図１に示すＶＳＣ１０６およびゲートウェイ１０８等の多数の要素を含む。明確にするために、基地局１０４をネットワーク１１０と接続する種々のネットワーク要素は、単に、図４の通信リンク２００に置き換えられる。さらに別の態様では、システム１００は、既存のソーシャルネットワークからの情報を利用することができる。典型的なソーシャルネットワークでは、各個人は、その個人に対して維持される「友人」または「コンタクト」のリストを有する。一実施形態では、ジャンプ可能無線通信デバイス（例えば、無線通信デバイス１２０）は、プロファイル記憶１８４の一部としての記憶のために、コンタクトリストをダウンロードしてもよい。これは、ソーシャルネットワークウェブサイト２００が個人のウェブページ２０２を含む、図４にも示される。その個人に対して、コンタクトリスト２０４は、個人のウェブページ２０２の所有者がその個人のソーシャルネットワークの一部として識別している、全ての個人のリストを含有する。この態様において、コンタクトリスト２０４は、プロファイル記憶１８４における記憶のために、無線通信ネットワーク１０２を介して無線通信デバイス１２０にダウンロードされてもよい。
【００４２】
動作中、無線通信デバイス１２０は、上記の方法でコンタクトを検索する。非ネットワーク無線通信リンク（例えば、非ネットワーク無線通信リンク１３４）が確立される時、ジャンプインデータは、上記の方法で、無線通信デバイス１２０と１２２との間で交換される。無線通信デバイス１２２のユーザがすでにコンタクトリスト２０４上にある場合（ここで、ダウンロードされ、プロファイル記憶１８４に記憶される）、無線通信デバイス１２０は、無線通信デバイス１２０のユーザに、すぐにコンタクト通知を生成してもよい。本実施形態では、コントローラ１８４は、無線通信デバイス１２２から受信されるジャンプインデータと、プロファイル記憶１８４に記憶される、記憶されたジャンプアウト選好データとの間で詳細な比較を行う必要はない。むしろ、受信されたジャンプインデータにおける無線通信デバイス１２２のユーザ名間の単なる一致は、コンタクトリスト２０４との一致を提供し、コンタクト通知が生成される。本実施形態の別の態様では、無線通信デバイス１２０は、無線通信デバイス１２２のユーザが無線通信デバイス１２０の個人のユーザに関する追加情報を得ることを可能にするために、ウェブリンクを個人のウェブページ２０２に伝送してもよい。これは、上記の個人のジャンプウェブページリンクの代わりであっても、またはそれに加えられてもよい。したがって、システム１００は、既存のソーシャルネットワークウェブサイトならびにジャンプネットワークウェブサイトとのシームレス統合を可能にする。
【００４３】
上記に提供する実施例は、ジャンプネットワークウェブサイト１９６またはソーシャルネットワークウェブサイト２００からデータを抽出し、それを無線通信デバイス１２０および／または１２２に提供する。しかしながら、逆のプロセスもまた、システム１００によって実装されてもよい。一致が無線通信デバイス１２０〜１２２間に存在するという判定後、ジャンプインデータ等のデータは、無線通信デバイス（例えば、無線通信デバイス１２０）から自動的に抽出され、ジャンプネットワークウェブサイト１９６および／またはソーシャルネットワークウェブサイト２００に提供されてもよい。例えば、無線通信デバイス１２０からのユーザプロファイルデータが、コンタクトリスト２０４に追加されてもよい。また、個々のジャンプウェブページ１９８および／または個々のウェブページ２０２に追加するために、他のプロファイル情報または他のユーザ承認情報が使用されてもよい。したがって、無線通信デバイス内に記憶されるデータは、抽出され、データベースまたは他のデータ記憶構造に記憶するために使用されてもよい。
【００４４】
図３は、プロファイル記憶１８４のジャンプインデータ部分１９０における典型的なジャンプインデータの一実施例を示す。上記の実施形態では、一致通知が生成される時、１つの無線通信デバイス（例えば、図１の無線通信デバイス１２０）によって伝送されるジャンプインデータは、自動的に抽出され、無線通信デバイス１２２のユーザに対する個人のジャンプウェブページ１９８（図４を参照されたい）に送信されてもよい。さらに、無線通信デバイス１２０のユーザによって承認される任意の追加情報は、一致通知の生成後に抽出され、無線通信デバイス１２２のユーザに対する個人のジャンプウェブページ１９８に送信されてもよい。これは、ｅメールアドレス、電話番号、ウェブページリンク等、オプションのジャンプイン個人データとして上記の情報を含んでもよい。この自動抽出プロセスは、有利に、ユーザがコンタクトからの情報をユーザの個人のジャンプウェブページ１９８に自動的に記憶することを可能にする。続いて、ユーザは、ユーザ自身の個人のジャンプウェブページにアクセスし、記憶された情報を取り出し、記憶された情報を整理するか、またはさらに利用してもよい。これは、無線通信デバイス１２０のユーザが短期間に多数のコンタクトを取る状況において、特に有利であり得る。無線通信デバイス１２０が複数のコンタクトからのジャンプインデータを記憶し得る一方で、本明細書に記載する自動抽出および記憶プロセスは、データが自動的に抽出され、将来使用するためにユーザの個人のジャンプウェブページに転送されることを可能にする。当業者は、自動データ抽出および記憶が、ソーシャルネットワークウェブサイト２００と関連する個人のウェブページ２０２（図４を参照されたい）上でも実行され得ることを理解するであろう。
【００４５】
システム１００の動作は、ジャンプ可能無線通信デバイスが、ステップ２０２において別のジャンプ可能無線通信デバイスの近接を検出する、図５のフローチャートに示される。ピアツーピア通信のための技術は、ＩＥＥＥ８０２．１１に関してすでに説明されている。他のピアツーピア技術もまた、非ネットワーク無線通信リンクを実装するのに十分であり得る。システム１００は、非ネットワーク無線通信リンクを実装するために使用される特定の形態の技術によって制限されない。加えて、無線通信デバイス（例えば、無線通信デバイス１２０）は、ジャンプモードのユーザ選択的な使用可能性を含んでもよい。このように、ユーザは、無線通信デバイスがジャンプ可能である時を制御することができる。ステップ２０４において、無線通信デバイス１２０は、別のジャンプ可能無線通信デバイスと非ネットワーク無線通信リンクを確立する。いったん非ネットワーク無線通信リンクが確立されると、２つのジャンプ可能無線通信デバイスは、ステップ２０６において、それぞれのプロファイル記憶１８４のジャンプインデータ部分を交換する。上記のように、情報を交換するための代替の技術が多く存在する。これは、例えば、ジャンプインデータ１９０に記憶される全てのデータの総交換を含んでもよく、またはユーザが選好を指定しているジャンプアウトデータの部分に対応する、ジャンプインデータ１９０の部分のみの伝送を含んでもよい。
【００４６】
ステップ２０８において、各無線通信デバイスのコントローラは、プロファイル記憶１８４に記憶されるジャンプアウト選好データ１９２に対して、受信されたジャンプインデータを分析する。種々の異なる分析技術は、上記に考察されており、例えば、種々の要因の重要度、異なる要因の重み付け等を含む。一実施形態では、ユーザは、単に、選好が調整される配列によってのみ、種々の要因の重要度を指定してもよい。代替の実施形態では、ユーザは、種々の要因に種々の重要度を割り当ててもよい。例えば、最も重要な要因は、数字の「１」によって識別されてもよく、一方で、２番目の重要度は、数字の「２」によって識別されてもよい。また、種々の他の一致アルゴリズムが使用されてもよい。システム１００は、特定の選好要因によって、または選好要因が分析される方法によって制限されない。
【００４７】
受信されたジャンプインデータと記憶されたジャンプアウト選好データとの間で一致がある場合、一致が判定２１０において生じ、ステップ２１２において、無線通信デバイスは、コンタクト通知を生成する。上記のように、コンタクト通知は、個人の分析に基づき生じることができるか、または両方の無線通信デバイスが一致が存在すると判定した状況に制限されてもよい。コンタクト通知が生成されなければならないかどうかを判定するための種々の他の技術は、上記に説明されている。コントローラが、一致が生じていないと判定する場合、判定２１０の結果は、いいえである。その場合、またはステップ２１２におけるコンタクト通知の生成後、システムは、追加のジャンプ可能無線通信デバイスを検出するために、ステップ２０２に戻る。
【００４８】
さらに別の代替の実施形態では、ジャンプ可能無線通信デバイス（例えば、無線通信デバイス１２０〜１２２）は、図６に示すＷｉ−Ｆｉ基地局等のアクセスポイント２２０と通信してもよい。図６は、アクセスポイント２２０と無線通信デバイス１２０との間に確立される無線通信リンク２２２を示す。同様に、無線通信デバイス１２２は、アクセスポイント２２０と無線通信リンク２２４を確立する。アクセスポイント２２０は、従来の方法でネットワーク１１０に連結される。これは、ネットワーク１１０に直接、またはインターネットサービスプロバイダ（ＩＳＰ）によって提供されるような中間ネットワークゲートウェイを介してつながる、有線または無線接続を含んでもよい。アクセスポイント２２０は、上記のように、ネットワーク１１０を介して、ジャンプネットワークウェブサイト１９６またはソーシャルネットワークウェブサイト２００にアクセスしてもよい。
【００４９】
図７は、アクセスポイント２２０に対するサービスエリア２２６を示す。例示的な実施形態では、無線通信デバイス１２０〜１２２は両方とも、サービスエリア２２６内にある。
【００５０】
アクセスポイント２２０は、１マイルまたはそれ以上の範囲を有してもよい。しかしながら、アクセスポイント２２０の一般的な実装は、その顧客の便宜のために小売業者によってしばしば提供される、短距離「ホットスポット」である。例えば、喫茶店または本屋は、その顧客が使用し得るホットスポットを提供してもよい。本明細書に示す実施例は、「Ｗｉ−Ｆｉ」基地局に言及しているが、図６の実施形態に示す基地局２２０は、インターネット等のネットワークへのアクセスポイントとして考えられてもよい。かかるアクセスポイントは、典型的には、Ｗｉ−Ｆｉ基地局として実装され得るが、基地局２２０を実装するために、他の技術（例えば、ＷｉＭＡＸ、３Ｇ／４Ｇ、またはロングタームエボリューションＬＴＥ）が使用されてもよい。したがって、基地局２２０によって提供されるアクセスポイントは、種々の異なる通信技術によって実装されてもよく、Ｗｉ−Ｆｉ技術に限定されない。
【００５１】
図６に示す実施形態では、非ネットワークトランシーバ１７６（図２を参照されたい）は、アクセスポイント２２０との無線通信を提供することが可能である従来の技術を使用して、実装されてもよい。Ｗｉ−Ｆｉホットスポットとのかかる短距離通信の実装は、しばしば、ブルートゥース技術を使用して達成されてもよい。この通信技術は、当該技術分野においてよく知られており、本明細書においてより詳細に記載する必要はない。ＩＥＥＥ８０２．１１等の他の通信プロトコルもまた考えられる。本明細書に記載するシステムは、アクセスポイント２２０と無線通信デバイス１２０〜１２２のそれぞれとの間で、無線通信リンク２２２〜２２４を確立するために使用される、特定の通信プロトコルによって制限されない。
【００５２】
アクセスポイント２２０との無線通信デバイス１２０〜１２２の動作を、図８のフローチャートに示す。開始２３０において、アクセスポイント２２０は、動作可能である。以下の考察の目的で、無線通信デバイス１２０は、アクセスポイント２２０への登録動作をすでに実行していると仮定する。ステップ２３２において、無線通信デバイス１２２は、アクセスポイント２２０のサービスエリア２２６（図７を参照されたい）内に入り、それにより、アクセスポイントを検出する。ステップ２３４において、無線通信デバイスは、アクセスポイント２２０への登録動作を実行する。いくつかの実施形態では、アクセスポイントは、無制限であってもよい。すなわち、サービスエリア２２６内に入る任意のユーザは、登録プロセスの一部として、ユーザ名およびパスワードを必要とすることなく、アクセスポイント２２０を使用してもよい。他の実装では、ユーザ名および／またはパスワードは、登録プロセスの一部として必要とされ得る。例えば、無制限アクセスを許可する小売施設もあれば、購入を要求し、一時的なユーザ名およびパスワードを提供する小売施設もある。
【００５３】
ステップ２３６において、アクセスポイント２２０は、無線通信デバイス１２２がジャンプ可能デバイスであることを検出する。このプロセスは、ステップ２３４における登録の一部として実行されてもよく、または登録の完了後に実行されてもよい。
【００５４】
判定２４０において、アクセスポイント２２０は、他のジャンプ可能デバイスもまた登録されるかどうかを判定する。他のジャンプ可能無線通信デバイスが、現在、アクセスポイント２２０に登録されない場合、判定２４０の結果は、いいえであり、図８に示すプロセスは、他のジャンプ可能デバイスがアクセスポイント２２０に登録するまで、基本的に終了する。
【００５５】
他のジャンプ可能デバイスがアクセスポイント２２０に登録される場合、判定２４０の結果は、はいである。ステップ２４２において、ジャンプインデータは、ジャンプ可能無線通信デバイス間で交換される。図６に示す実施例では、無線通信デバイス１２０〜１２２は、ジャンプインデータを交換し得る。ジャンプインデータは、すでに記載しているが、種々の代替の技術で交換され得る。一実施形態では、アクセスポイントは、デバイスがジャンプ可能デバイスであると判定される、登録プロセスの一部として、または登録プロセス（ステップ２３６における）の完了後に、無線通信デバイスからジャンプインデータを受信する。本実施形態では、アクセスポイント２２０は、そこに登録される全てのジャンプ可能無線通信デバイスに対するジャンプインデータを一時的に記憶する。新しいジャンプ可能無線通信デバイスがアクセスポイント２２０に登録する時、そのジャンプインデータはまた、アクセスポイント２２０にすでに登録された他のジャンプ可能無線通信デバイスへの分散のために、アクセスポイント２２０に配信される。同様に、アクセスポイント２２０はまた、１つ以上のすでに登録されたジャンプ可能無線通信デバイスに対するジャンプインデータを、新たに登録された無線通信デバイス（例えば、無線通信デバイス１２２）に配信する。あるいは、アクセスポイント２２０は、単に、１つ以上のジャンプ可能無線通信デバイスの登録を指示する登録情報を記憶する。新しいジャンプ可能無線通信デバイスがアクセスポイント２２０に登録する時、アクセスポイントは、登録されたジャンプ可能無線通信デバイスのそれぞれに通知を提供する。本実施形態では、無線通信デバイス１２０〜１２２は、アクセスポイント２２０を介して、相互にジャンプインデータ交換する。すなわち、無線通信デバイス１２０は、ジャンプ可能無線通信デバイス１２２に中継されるように、そのジャンプインデータをアクセスポイント２２０に伝送する。同様に、無線通信デバイス１２２は、ジャンプ可能無線通信デバイス１２０に中継されるように、そのジャンプインデータをアクセスポイント２２０に伝送する。
【００５６】
ステップ２４４において、無線通信デバイス１２０〜１２２は、ステップ２４４においてその独自の記憶されたジャンプアウトデータに対して、受信されたジャンプインデータを分析する。ジャンプインおよびジャンプアウトデータの分析は、すでに上記で詳細に考察されている。
【００５７】
判定２４６において、無線通信デバイス１２２は、その独自の記憶されたジャンプアウトデータと無線通信デバイス１２０から受信されるジャンプインデータとの間で一致があるかどうかを判定する。一致が存在しない場合、判定２４６の結果は、いいえであり、プロセスは、終了する。一致が存在する場合、判定２４６の結果は、はいであり、ステップ２４８において、無線通信デバイス１２２は、コンタクト通知を生成する。
【００５８】
上記のように、一致判定およびコンタクト通知に対して、多数の代替の制御機構がある。例えば、無線通信デバイス１２２が無線通信デバイス１２０から受信されるジャンプインデータを分析する間（ステップ２４４において）、無線通信デバイス１２０は、同じ動作を実行する。すなわち、無線通信デバイス１２０は、無線通信デバイス１２２から受信されるジャンプインデータに対して、その独自の記憶されたジャンプアウトデータを分析する。したがって、無線通信デバイス１２０および１２２は両方とも、ステップ２４４〜２４６を実質的に同時に実行する。一実施形態では、コンタクト通知は、判定２４６において一致の場合、いずれかにデバイスによって送信されてもよい。別の実施形態では、コンタクト通知は、両方のデバイスが、ステップ２４４における分析の結果として一致を生成する場合のみ、生成される。
【００５９】
一実施形態では、無線通信デバイス１２０〜１２２は、図８のフローチャートに示す、基本的に同一のプロセスに従う。すなわち、無線通信デバイス１２０〜１２２は、ステップ２４２においてジャンプインデータを交換し、ステップ２４４において受信されたデータを分析する。ステップ２４４における分析は、判定２４６において、他の無線通信デバイスからの受信されたジャンプインデータと、それぞれの無線通信デバイス内に記憶される、記憶されたジャンプアウトデータとの間で一致があるかどうかを判定するために、それぞれの無線通信デバイスによって実行されてもよい。一致が生じる場合、無線通信デバイス１２０〜１２２は、ステップ２４８においてコンタクト通知を生成してもよい。
【００６０】
コンタクト通知はまた、アクセスポイント２２０によって、無線通信デバイス１２０〜１２２間で中継されてもよい。無線通信デバイス１２０〜１２２間のさらなる通信は、アクセスポイント２２０を介して生じてもよい。あるいは、無線通信デバイス１２０〜１２２は、各無線デバイスにおけるネットワークトランシーバ１６６（図２を参照されたい）を介して、通信リンクを確立してもよい。さらに別の代替例では、無線通信デバイス１２０〜１２２間のさらなる通信は、ウェブアプリケーションを介して生じてもよい。例えば、無線通信デバイス１２０〜１２２は、ネットワーク１１０を介して、ジャンプネットワークウェブサイト１９６またはソーシャルネットワークウェブサイト２００にアクセスしてもよい。１つのジャンプ可能無線通信デバイスのユーザは、図４に示す個人のジャンプウェブページ１９８または個人のウェブページ２０２等のユーザプロファイルまたは個人ウェブページを閲覧するために、別のジャンプ可能無線通信デバイスのユーザによって承認されてもよい。無線通信デバイスがサービスエリア２２６内にある間（図７を参照されたい）、ネットワーク１１０へのアクセスは、アクセスポイント２２０を介して達成され得る。したがって、アクセスポイント２２０は、ジャンプ可能無線通信デバイス間で通信を確立するために初期ポータルとしての役割を果たし得る。
【００６１】
上記のように、情報は、ジャンプネットワークウェブサイト１９６またはソーシャルネットワークウェブサイト２００から抽出され、いったん無線通信デバイスが、一致が存在すると判定すると、無線通信デバイスに提供されてもよい。あるいは、ジャンプネットワークウェブサイト１９６またはソーシャルネットワークウェブサイト２００からのデータの取り出しの前に、さらなる承認が必要とされてもよい。また、上記のように、無線通信デバイス１２０〜１２２からのデータは、抽出され、ジャンプネットワークウェブサイト１９６および／またはソーシャルネットワークウェブサイト２００に情報を提供するために使用されてもよい。いったん一致が確立されると、ユーザプロファイルデータ等のデータは、無線通信デバイス１２０〜１２２から抽出され、ジャンプネットワークウェブサイト１９６および／またはソーシャルネットワークウェブサイト２００に提供されてもよい。あるいは、一致判定を超えるさらなる承認もまた、必要とされてもよい。
【００６２】
本実施形態では、ジャンプインデータ（図３を参照されたい）および／または任意の他のユーザ承認データは、無線通信デバイスから自動的に抽出され、アクセスポイント２２０を介して、図４に示す個人のジャンプウェブページ１９８に伝送されてもよい。これは、ｅメールアドレス、電話番号、ウェブページリンク等のオプションのジャンプイン個人データとして、上記のデータを含んでもよい。このデータは、無線通信デバイス（例えば、図６の無線通信デバイス１２２）から自動的に抽出され、無線通信デバイス１２０のユーザと関連する個人のジャンプウェブページ１９８に記憶される。続いて、ユーザは、記憶されたデータを取り出すために自身の個人のジャンプウェブページにアクセスし、記憶された情報を整理またはさらに使用してもよい。この自動プロセスは、有利に、ユーザが多数のコンタクトからジャンプインデータを収集し、個人のウェブページ上のデータ記憶領域に追加するために、自動的に情報を抽出および使用させることを可能にする。一実施形態では、データは、図３のジャンプインデータ部分１９０において定義されるフィールド等の、既知のデータフィールドから抽出されてもよい。この場合、データは、データベース、スプレッドシート、データ表、または任意の他の便利なデータ構造におけるデータ記憶位置または素子に自動的に追加するために使用されてもよい。データ構造の正確な形態は、データ抽出および記憶プロセスの十分な実装に重要ではない。
【００６３】
抽出および記憶プロセスを図９のフローチャートに示す。開始２５０において、無線通信デバイス（例えば、図６の無線通信デバイス１２０および１２２）は、アクティブであり、上記の方法でアクセスポイント２２０に登録されている。ステップ２５２において、データは、一例として、無線通信デバイス１２２から抽出される。一実施形態では、データは、コンタクト通知の生成後（図８を参照されたい）、または別のユーザ承認後にのみ、抽出されてもよい。データは、無線通信デバイス１２０によって抽出されるか、またはアクセスポイント２２０によって直接抽出されてもよい。同様のプロセスが、無線通信デバイス１２０から抽出されるデータに対して実行されてもよい。すなわち、無線通信デバイス１２２またはアクセスポイント２２０が、無線通信デバイス１２０から情報を抽出してもよい。
【００６４】
ステップ２５４において、抽出されたデータは、それぞれの個人のジャンプウェブページ１９８に中継される。すなわち、無線通信デバイス１２２から抽出されるデータは、無線通信デバイス１２０のユーザと関連するウェブページに中継される。同様に、無線通信デバイス１２０から抽出される情報は、無線通信デバイス１２２のユーザの個人のウェブページに中継される。
【００６５】
ステップ２５６において、ジャンプネットワークウェブサイト１９６と関連するサーバは、個人のジャンプウェブページ１９８に受信されたデータを記憶する。上で述べたように、データは、任意の便利な形態のデータ構造を使用した任意の便利な方法で、記憶されてもよい。多くの実施形態では、個人のジャンプウェブページ１９８と関連する記憶領域は、ジャンプネットワークウェブサイト１９６を設けるサーバによって提供されてもよい。本実施形態では、データ記憶構造は、個人のジャンプウェブページ１９８と関連する。代替の実施形態では、個人のジャンプウェブページ１９８は、その独自のサーバを含んでもよく、データ記憶構造は、個人のジャンプウェブページ１９８をサポートするサーバの一部であってもよい。当業者は、ジャンプネットワークウェブサイト１９６、個人のジャンプウェブページ１９８、および個人のジャンプウェブページと関連するデータ記憶構造を提供するために、他のネットワークアーキテクチャが満足のいくように採用され得ることを理解するであろう。
【００６６】
続いて、ステップ２５８において、ユーザは、整理目的で、またはさらなる使用のために、記憶されたデータを取り出してもよい。上記のように、データが既知のデータフィールドから抽出される時、データは、個人のジャンプウェブページ１９８と関連するデータ構造における特定のデータフィールドに自動的に追加されるように使用され得る。他の状況において、データは、以前に未定義のデータフィールドから抽出されてもよい。本実施形態では、抽出されたデータは、個人のジャンプウェブページ１９８と関連するデータ構造内の汎用データフィールドに記憶されてもよい。ステップ２５８において、ユーザは、抽出されたデータを適切に分類されたデータフィールドに配置することによって、データを整理してもよい。例えば、ｅメールアドレスおよび電話番号は、個人のウェブページ１９８と関連するデータ構造内の適切に分類されたデータフィールドに記憶されてもよい。加えて、ユーザは、データが抽出されている個人とのコンタクトの開始等の他の目的で、ステップ２５８において記憶されたデータを取り出してもよい。このコンタクトは、通話、ｅメール、テキストメッセージ、他の個人のウェブページへのリンク等の形態を取ってもよい。プロセスは、２６０で終了する。
【００６７】
したがって、システム１００は、データを自動的に抽出し、将来使用するために、個人のウェブページにおけるデータ構造に追加してもよい。上記のプロセスは、図６の実施形態に関して記載されているが、当業者は、図１〜５に示すシステムに対するその適用可能性を理解するであろう。加えて、図９に示すプロセスは、ソーシャルネットワークウェブサイト２００において、個人のウェブページ２０２に自動的に追加するために使用されてもよい。
【００６８】
上記の実施形態では、アクセスポイント２２０は、単に、アクセスポイントに現在登録されているジャンプ可能無線通信デバイスのリストを記憶する。他のジャンプ可能無線通信デバイスがアクセスポイント２２０に登録すると、アクセスポイントは、他のジャンプ可能無線通信デバイスもまた登録されるという通知として、任意のすでに登録されたジャンプ可能無線通信デバイスに通知を送信する。
【００６９】
代替の実施形態では、アクセスポイント２２０は、各登録された無線通信デバイスからジャンプインデータおよびジャンプアウトデータの両方を受信してもよい。本実施形態では、ジャンプインおよびジャンプアウトデータは、それぞれの無線通信デバイスに対する登録情報（例えば、一時的なネットワークアドレス）と関連して記憶される。アクセスポイント２２０は、一致が存在するかどうかを判定するために、それぞれの無線通信デバイスからのジャンプインおよびジャンプアウトデータの分析を実行してもよい（図８のステップ２４２において）。一致が存在する場合、アクセスポイント２２０は、データが一致を提供する無線通信デバイスに、別個の通知を送信する。本実施形態では、アクセスポイント２２０は、各無線通信デバイスからのジャンプインおよびジャンプアウトデータを受信し、一時的に記憶する。無線通信デバイスとアクセスポイント２２０との間の通信リンクが断ち切られる時、アクセスポイント２２０は、アクセスポイントによって一時的に記憶される、任意のジャンプインおよび／またはジャンプアウトデータを削除する。通信リンクは、ユーザによるアクティブ終了によって、または無線通信デバイスが、単に、アクセスポイント２２０のサービスエリア２２６（図７を参照されたい）から出る場合、断ち切られ得る。あるいは、アクセスポイント２２０は、無線通信リンクが断ち切られた後ある期間にわたって、ジャンプインおよび／またはジャンプアウトデータを記憶してもよい。例えば、アクセスポイント２２０は、無線通信リンクが過渡的条件によって一時的に断ち切られる場合、かかるデータを再伝送しなければならないことを回避するために、数秒間（例えば、６０秒間）、ジャンプインおよび／またはジャンプアウトデータを記憶してもよい。さらに別の代替の実施形態では、アクセスポイント２２０は、常連の顧客が、アクセスポイント２２０に再登録する度に、かかるデータを再伝送する必要がないように、より長い期間、ジャンプインおよび／またはジャンプアウトデータを保持してもよい。かかるデータのキャッシングおよびキャッシュ管理は、当該技術分野においてよく知られており、本明細書においてより詳細に記載する必要はない。
【００７０】
さらに別の実施形態では、アクセスポイント２２０は、ネットワーク１１０（例えば、インターネット）にアクセスし、新たに登録された無線通信デバイスに対するジャンプインデータおよび／またはジャンプアウトデータを取り出してもよい。ジャンプインデータおよび／またはジャンプアウトデータを含むユーザプロファイルは、ジャンプネットワークウェブサイト１９６、ソーシャルネットワークウェブサイト２００、または無線通信サービスプロバイダと関連するコンピュータサーバ等、遠隔位置で記憶され得る。無線通信デバイス（例えば、無線通信デバイス１２２）がアクセスポイント２２０に登録する時、登録情報は、遠隔位置からジャンプインおよび／またはジャンプアウトデータを取り出すために使用されてもよい。ユーザプロファイル情報（すなわち、ジャンプインおよび／またはジャンプアウトデータ）の不正な取り出しを防止するために、従来のセキュリティ技術が適用されてもよい。これは、ユーザ許可、および／またはパスワードもしくはセキュリティコードのユーザエントリの要求を含んでもよい。無線通信デバイスと関連する携帯番号の真正性の識別等の他の形態のセキュリティもまた、使用されてもよい。パスワードおよび／または他のセキュリティデータの伝送は、その不正な傍受を防止するために暗号化されてもよい。本実施形態では、ジャンプインおよびジャンプアウトデータは、遠隔位置（例えば、ジャンプネットワークウェブサイト１９６）からアクセスポイント２２０に伝送され、上記の方法でアクセスポイント２２０によって分析される。
【００７１】
さらに別の代替例では、アクセスポイント２２０は、上記の方法で、無線通信デバイス１２０〜１２２に対する登録データを、中心位置（例えば、ジャンプネットワークウェブサイト１９６）に送ってもよい。本実施形態では、ジャンプネットワークウェブサイト１９６を設けるサーバは、各登録された無線通信デバイスに対するジャンプインおよびジャンプアウトデータを取り出し、サーバ位置において分析を実行することができる。本実施形態では、各登録された無線通信デバイスに対するジャンプインおよびジャンプアウトデータは、取り出されるが、アクセスポイント２２０に伝送されない。これは、サーバと関連する安全な位置でジャンプインおよびジャンプアウトデータを維持することによって、より高いセキュリティを提供し得る。サーバは、無線通信デバイスのそれぞれに対して、データ分析ステップ（すなわち、ステップ２４４〜２４６）を実行し、結果をアクセスポイント２２０に提供する。一致が生じた場合、アクセスポイント２２０は、上記の方法でコンタクト通知を生成し、それを、ジャンプインおよびジャンプアウトデータが一致を生成した無線通信デバイスに伝送するように命令される。上記のように、無線通信デバイス１２０〜１２２間の後続の通信は、アクセスポイント２２０を介して生じてもよく、または無線通信デバイスのそれぞれにおけるネットワークトランシーバ１６６を使用して、ネットワーク上で生じてもよい。
【００７２】
上記の実施形態では、アクセスポイント２２０は、ジャンプ可能無線通信デバイス１２０〜１２２から登録情報を受信する。登録中または登録の直後に無線通信デバイス１２０〜１２２によって提供されるデータは、これらのデバイスをジャンプ可能デバイスと見なす。さらに別の代替の実施形態では、アクセスポイント２２０は、１つ以上のジャンプ可能無線通信デバイスがそこに登録されるというインジケータを伝送してもよい。セキュリティ目的で、アクセスポイント２２０は、登録されたジャンプ可能無線通信デバイスと直接リンクされる、いかなる情報も伝送しない。アクセスポイント２２０は、単に、アクセスポイント２２０に登録されるジャンプ可能無線通信デバイスがあることを指示するデータを伝送する。本実施形態では、未登録のジャンプ可能無線通信デバイスは、アクセスポイント２２０の範囲内に入ってもよい。未登録の無線通信デバイス（例えば、無線通信デバイス１２０）は、１つ以上の他のジャンプ可能無線通信デバイス（例えば、無線通信デバイス１２０）がアクセスポイント２２０に登録されていることを指示するメッセージを受信する。基本的に、アクセスポイント２２０は、上記のジャンプ可能通信リンクを提供するために、無線通信デバイス１２０を登録することを提案する。
【００７３】
したがって、ジャンプ可能無線通信デバイスは、上記のように、相互に直接通信し、ジャンプインデータを交換してもよく、またはアクセスポイント（例えば、アクセスポイント２２０）を介して、間接的に通信してもよい。中間ノードとしてのアクセスポイント２２０の使用は、上記のようなさらなる代替の実装を提供する。
【００７４】
上記の実施形態は、異なる他の構成要素内に含有される、またはそれと関連がある、異なる構成要素を示す。かかる示されるアーキテクチャは、例示的なものにすぎないこと、および実際には、同一の機能性を達成する、多くの他のアーキテクチャが実装され得ることを理解されたい。概念的な意味では、同一の機能性を達成するための構成要素の任意の配列は、所望の機能性が達成されるように、効果的に「関連付けられる」。したがって、特定の機能性を達成するために本明細書において組み合わされる、任意の２つの構成要素は、アーキテクチャまたは中間構成要素にかかわらず、所望の機能性が達成されるように、相互と「関連付けられる」ものと見なされ得る。同様に、そのように関連付けられる任意の２つの構成要素はまた、所望の機能性を達成するために、相互に「動作可能に接続される」または「動作可能に連結される」ものとも見なされ得る。
【００７５】
本発明の特定の実施形態が示され、記載されてきたが、本明細書の教示に基づき、本発明およびそのより広範な態様から逸脱することなく、変更および修正が行われてもよいことは、当業者に明らかとなり、したがって、添付の特許請求の範囲が、本発明の真の精神および範囲内にあるように、全てのかかる変更および修正をその範囲内に包含するものとする。さらに、本発明は、添付の特許請求の範囲によってのみ定義されることを理解されたい。一般に、本明細書、特に添付の特許請求の範囲（例えば、添付の特許請求の範囲の主文）で使用される用語は、概して、「非限定的」用語として意図される（例えば、「含む（ｉｎｃｌｕｄｉｎｇ）」という用語は、「含むがこれに限定されない」と解釈されるべきであり、「有する（ｈａｖｉｎｇ）」という用語は、「少なくとも有する」と解釈されるべきであり、「含む（ｉｎｃｌｕｄｅｓ）」という用語は、「含むがこれに限定されない」と解釈されるべきである、等）ことは、当業者によって理解されるであろう。さらに、導入された請求項の記述に具体的な数が意図される場合、かかる意図は、特許請求の範囲に明示的に記載され、かかる記述がない場合、かかる意図が存在しないことは、当業者によって理解されるであろう。例えば、理解を助けるために、以下の添付の特許請求の範囲は、請求項の記述を導入するための導入語句「少なくとも１つの」および「１つ以上の」の使用を含有してもよい。しかしながら、かかる語句の使用は、同じ請求項が導入語句「１つ以上の」または「少なくとも１つの」、および「ａ」または「ａｎ」などの不定冠詞を含む場合でも、不定冠詞「ａ」または「ａｎ」による請求項の導入が、かかる導入された請求項の記述を含有する任意の特定の請求項を、かかる１つの記述のみを含有する発明に限定することを示唆すると解釈されるべきではない（例えば、「ａ」および／または「ａｎ」は、典型的には、「少なくとも１つの」または「１つ以上の」を意味すると解釈されるべきである）。同じことが、請求項の記述を導入するために使用される定冠詞の使用にも当てはまる。加えて、当業者は、導入された請求項の記述に具体的な数が明示的に記述された場合であっても、かかる記述が、典型的には、少なくとも記述された数を意味すると解釈されるべきであることを理解するであろう（例えば、他の修飾語句を有しない「２つの記述」のありのままの記述は、典型的には、少なくとも２つの記述、または２つ以上の記述を意味する）。
【００７６】
したがって、本発明は、添付の特許請求の範囲によるものを除いて、限定されない。
【図１】
2012520014.tif 000003
【図２】
2012520014.tif 000004
【図３】
2012520014.tif 000005
【図４】
2012520014.tif 000006
【図５】
2012520014.tif 000007
【図６】
2012520014.tif 000008
【図７】
2012520014.tif 000009
【図８】
2012520014.tif 000010
【図９】
2012520014.tif 000011
【国際調査報告】
2012520014.tif 000012
2012520014.tif 000013